(57)【要約】【課題】利用する周波数帯域が一部重複する複数の通信方式が利用可能な環境下で、相互の干渉を低減する。【解決手段】無線通信システムは、第１通信方式で互いに無線通信を行う第１無線通信装置および端末装置と、第２通信方式で無線通信を行う複数の第２無線通信装置（アクセスポイント）とを備えている。第１通信方式では、Ｍ個（Ｍ：正の整数）の通信チャネルのうちのＰ個（Ｐ：正の整数、Ｐ＜Ｍ）以上の通信チャネルを利用することが要求されている。周波数に関して、Ｍ個の通信チャネルのうちのＮ個（Ｎ：正の整数、Ｎ＜Ｍ）は、第２通信方式で利用される１個（Ｋ：正の整数、Ｋ＜Ｎ）の通信チャネルと重複している。Ｐ＞（Ｍ−Ｎ）が成り立つとき、第１無線通信装置と端末装置との無線通信には端末装置と複数の第２無線通信装置の各々との位置関係に応じて決定されるｍ個（ｍ：正の整数、P≦ｍ＜Ｍ）の通信チャネルが利用される。【選択図】図５
2016086238.tif 000002
【特許請求の範囲】
【請求項１】
第１通信方式で無線通信を行う第１無線通信装置と、
前記第１無線通信装置と前記第１通信方式で無線通信を行う端末装置と、
前記第１通信方式とは異なる第２通信方式で無線通信を行うことが可能な、アクセスポイントとして機能する複数の第２無線通信装置と
を備えた無線通信システムであって、
前記第１通信方式では、Ｍ個（Ｍ：正の整数）の通信チャネルのうちのＰ個（Ｐ：正の整数、Ｐ＜Ｍ）以上の通信チャネルを利用することが要求されており、
周波数に関して、前記Ｍ個の通信チャネルのうちのＮ個（Ｎ：正の整数、Ｎ＜Ｍ）は、前記第２通信方式で利用されるＫ個（Ｋ：正の整数、Ｋ＜Ｎ）の通信チャネルと重複しており、
Ｐ＞（Ｍ−Ｎ）が成り立つとき、前記第１無線通信装置と前記端末装置との無線通信にはｍ個（ｍ：正の整数、P≦ｍ＜Ｍ）の通信チャネルが利用され、前記ｍ個の通信チャネルは前記端末装置と前記複数の第２無線通信装置の各々との位置関係に応じて決定されている、無線通信システム。
【請求項２】
請求項１に記載の無線通信システムにおいて用いられる端末装置であって、
前記第１通信方式で無線通信を行う無線通信回路と、
前記位置関係に応じて、前記第１通信方式による通信時に利用する前記ｍ個の通信チャネル、または前記第１通信方式による通信時に利用しない（Ｍ−ｍ）個の通信チャネルを決定するプロセッサと
を備える、端末装置。
【請求項３】
前記位置関係を示す位置情報を保持するメモリをさらに備え、
前記プロセッサは、前記メモリに保持された前記位置情報に基づいて、前記ｍ個の通信チャネル、または前記（Ｍ−ｍ）個の通信チャネルを決定する、請求項２に記載の端末装置。
【請求項４】
前記位置関係は、
自装置と、前記複数の第２無線通信装置の各々との距離、または、
前記自装置が設置される位置および前記複数の第２無線通信装置の各々が設置される位置
のいずれかである、請求項２に記載の端末装置。
【請求項５】
前記プロセッサは、さらに、前記複数の第２無線通信装置の各々から放射される電波の強度に応じて、前記第１通信方式による通信時に利用する前記ｍ個の通信チャネル、または前記第１通信方式による通信時に利用しない（Ｍ−ｍ）個の通信チャネルを決定する、請求項４に記載の端末装置。
【請求項６】
前記位置情報が、前記端末装置と前記複数の第２無線通信装置の各々との距離を示す情報である場合において、
前記プロセッサは、前記端末装置との距離が最小である最寄りの第２無線通信装置を特定し、前記最寄りの第２無線通信装置が利用する通信チャネルの周波数帯域と重複しない周波数帯域に属する第１通信方式の通信チャネル群の中から、前記ｍ個の通信チャネルを決定する、請求項４に記載の端末装置。
【請求項７】
周辺環境において、前記Ｋ個の通信チャネルのうち、Ｋ1個（Ｋ1：正の整数）の通信チャネルが利用されて、前記第２通信方式で通信が行われる場合、
前記プロセッサは、前記Ｋ1個の通信チャネルと重複しない周波数帯域に属する第１通信方式の通信チャネル群の中から、前記位置関係に応じて、前記ｍ個の通信チャネルを決定する、請求項２に記載の端末装置。
【請求項８】
前記Ｋ個の通信チャネルのうち、前記Ｋ1個の通信チャネル、または、前記Ｋ1個の通信チャネルとは異なるＫ2個（Ｋ2：正の整数）の通信チャネルのいずれかを利用して前記第２通信方式で無線通信を行うことが可能な位置に設置されている場合、
前記プロセッサは、前記Ｋ1個および前記Ｋ2個の通信チャネルのいずれとも重複しない周波数帯域に属する第１通信方式の通信チャネル群の中から、前記位置関係に応じて、ｍ個の通信チャネルを決定する、請求項７に記載の端末装置。
【請求項９】
請求項１に記載の無線通信システムにおいて用いられるサーバ装置であって、
前記位置関係を示す位置情報を保持するメモリと、
前記位置関係に応じて、前記第１無線通信装置の無線通信に利用される前記ｍ個の通信チャネルを決定するプロセッサと、
決定された前記ｍ個の通信チャネルを特定する情報を、前記端末装置に送信する通信回路と
を備える、サーバ装置。
【請求項１０】
各々が第１通信方式で無線通信を行う複数の第１無線通信装置と、
各々が前記第１通信方式で無線通信を行う複数の端末装置と、
前記第１通信方式とは異なる第２通信方式で無線通信を行う、アクセスポイントとして機能する複数の第２無線通信装置と
を備え、１対１で無線通信を行う第１無線通信装置および端末装置の組が複数存在する無線通信システムであって、
前記第１通信方式では、Ｍ個（Ｍ：正の整数）の通信チャネルのうちのＰ個（Ｐ：正の整数、Ｐ＜Ｍ）以上の通信チャネルを利用することが要求されており、
周波数に関して、前記Ｍ個（Ｍ：正の整数）の通信チャネルのうちのＮ個（Ｎ：正の整数、Ｎ＜Ｍ）は、前記第２通信方式で利用されるＫ個（Ｋ：正の整数、Ｋ＜Ｎ）の通信チャネルと重複し、
Ｐ＞（Ｍ−Ｎ）が成り立ち、かつ前記第１無線通信装置と前記端末装置の各組における前記無線通信にｍ個（ｍ：正の整数、P≦ｍ＜Ｍ）の通信チャネルが利用される場合において、前記Ｍ個の通信チャネルのうち、前記第２通信方式で利用される通信チャネルに重複しない周波数帯域に属する（Ｍ−Ｎ）個の通信チャネルが優先して利用される、無線通信システム。
【請求項１１】
前記第１無線通信装置と前記端末装置の各組における前記無線通信に利用される前記ｍ個のうちの残りのｍ−（Ｍ−Ｎ）個の通信チャネルは、前記第２通信方式で利用される前記Ｋ個の通信チャネルと重複する前記Ｎ個の通信チャネルの中から均等に選択される、請求項１０に記載の無線通信システム。
【請求項１２】
前記第１無線通信装置と前記端末装置の各組における前記無線通信に利用される前記ｍ個のうちの残りのｍ−（Ｍ−Ｎ）個の通信チャネルは、前記第２通信方式で利用される前記Ｋ個未満の通信チャネルと重複する周波数帯域に属するｎ個（ｎ＜Ｎ）の通信チャネルの中から選択される、請求項１０に記載の無線通信システム。
【請求項１３】
請求項１１に記載の無線通信システムに設けられ、前記各端末装置が利用する前記第１通信方式の通信チャネルの利用状況を示すチャネル情報を保持するサーバ装置であって、
前記第１無線通信装置および前記端末装置の組において利用されている、前記（Ｐ−ｍ）個以上の通信チャネルを特定する非優先通信チャネル情報を保持するメモリと、
前記第１無線通信装置および前記端末装置の新たな組が前記第１通信方式で通信を行う際に、前記非優先通信チャネル情報に基づいて、残りの（Ｍ−ｍ）個の通信チャネルの中から利用が相対的に少ない複数の通信チャネルを選択するプロセッサと、
選択された前記複数の通信チャネルを特定するチャネル特定情報を、前記新たな組の端末装置に送信する通信回路と
を備えたサーバ装置。
【請求項１４】
前記プロセッサは、選択した前記利用が相対的に少ない複数の通信チャネルの中から、前記新たな組の端末装置が利用すべき（Ｐ−ｍ）個以上の通信チャネルを選択し、
前記通信回路は、前記（Ｐ−ｍ）個以上の通信チャネルを特定する情報を、前記チャネル特定情報として前記新たな組の端末装置に送信する、請求項１３に記載のサーバ装置。
【請求項１５】
請求項１３または１４に記載のサーバ装置から前記チャネル特定情報を受信する第１通信回路と、
前記チャネル特定情報に基づいて、前記（Ｐ−ｍ）個以上の通信チャネルを選択するプロセッサと、
前記第１通信方式で利用される前記Ｍ個の通信チャネルのうち、前記第２通信方式で利用されるＫ個（Ｋ：正の整数）の通信チャネルの周波数帯域と重複しない周波数帯域に属するｍ個（ｍ：正の整数、ｍ＜Ｍ）の通信チャネル、および前記プロセッサが選択した前記（Ｐ−ｍ）個以上の通信チャネルを利用して、前記第１通信方式で無線通信を行う第２通信回路と
を備える、端末装置。
【請求項１６】
前記ｍ個の通信チャネルは予め定められている、請求項１５に記載の端末装置。
【請求項１７】
前記第１通信回路は、前記サーバ装置から、前記ｍ個の通信チャネルを特定する情報を受け取る、請求項１５に記載の端末装置。
【発明の詳細な説明】
【技術分野】
【０００１】
本開示は、利用する周波数帯域が一部重複する複数の通信方式が利用可能な環境下における通信制御技術に関する。
【背景技術】
【０００２】
特許文献１は、移動通信システム、および当該移動通信システムにおいて利用される周波数の割り当て技術を開示する。このシステムは、ある基地局の配下の端末が隣接基地局とのセル境界付近に位置するときは、当該基地局は、隣接基地局の周波数とは異なる周波数をその配下の端末に割り当てる。一方、配下の端末の位置が上記以外の場合には、当該基地局はそのような端末には隣接基地局と同じ周波数を割り当てて通信を行う技術を開示している。
【先行技術文献】
【特許文献】
【０００３】
【特許文献１】特開２００８−４８１４８号公報
【発明の概要】
【発明が解決しようとする課題】
【０００４】
近年の通信方式の多様化により、たとえば２．４ＧＨｚ近辺の周波数帯域を利用するＷｉ−Ｆｉ（登録商標、以下同じ）規格およびＢｌｕｅｔｏｏｔｈ（登録商標、以下同じ）規格のような、重複する周波数帯域を利用する通信規格が同時に利用される環境が増えてきた。
【０００５】
本開示は、利用する周波数帯域が一部重複する複数の通信方式が利用可能な環境下で、相互の干渉を低減する無線通信システム、端末装置、およびサーバ装置を提供する。
【課題を解決するための手段】
【０００６】
本開示にかかる第１の無線通信システムは、第１通信方式で無線通信を行う第１無線通信装置と、第１無線通信装置と第１通信方式で無線通信を行う端末装置と、第１通信方式とは異なる第２通信方式で無線通信を行うことが可能な、アクセスポイントとして機能する複数の第２無線通信装置とを備えている。第１通信方式では、Ｍ個（Ｍ：正の整数）の通信チャネルのうちのＰ個（Ｐ：正の整数、Ｐ＜Ｍ）以上の通信チャネルを利用することが要求されている。周波数に関して、Ｍ個の通信チャネルのうちのＮ個（Ｎ：正の整数、Ｎ＜Ｍ）は、第２通信方式で利用されるＫ個（Ｋ：正の整数、Ｋ＜Ｎ）の通信チャネルと重複している。Ｐ＞（Ｍ−Ｎ）が成り立つとき、第１無線通信装置と端末装置との無線通信にはｍ個（ｍ：正の整数、P≦ｍ＜Ｍ）の通信チャネルが利用され、ｍ個の通信チャネルは端末装置と複数の第２無線通信装置の各々との位置関係に応じて決定されている。
【０００７】
本開示にかかる第２の無線通信システムは、各々が第１通信方式で無線通信を行う複数の第１無線通信装置と、各々が第１通信方式で無線通信を行う複数の端末装置と、第１通信方式とは異なる第２通信方式で無線通信を行う、アクセスポイントとして機能する複数の第２無線通信装置とを備えている。この無線通信システムでは、１対１で無線通信を行う第１無線通信装置および端末装置の組が複数存在する。第１通信方式では、Ｍ個（Ｍ：正の整数）の通信チャネルのうちのＰ個（Ｐ：正の整数、Ｐ＜Ｍ）以上の通信チャネルを利用することが要求されている。周波数に関して、Ｍ個（Ｍ：正の整数）の通信チャネルのうちのＮ個（Ｎ：正の整数、Ｎ＜Ｍ）は、第２通信方式で利用されるＫ個（Ｋ：正の整数、Ｋ＜Ｎ）の通信チャネルと重複する。Ｐ＞（Ｍ−Ｎ）が成り立ち、かつ第１無線通信装置と端末装置の各組における無線通信にｍ個（ｍ：正の整数、P≦ｍ＜Ｍ）の通信チャネルが利用される場合において、Ｍ個の通信チャネルのうち、第２通信方式で利用される通信チャネルに重複しない周波数帯域に属する（Ｍ−Ｎ）個の通信チャネルが優先して利用される。
【発明の効果】
【０００８】
本開示にかかる無線通信システムによれば、利用する周波数帯域が一部重複する複数の通信方式が利用可能な環境下で、相互の干渉を低減することが可能となる。
【図面の簡単な説明】
【０００９】
【図１】航空機１の機内に設けられた、本開示にかかる無線通信システム１００の概略的な構成を示す図である。
【図２】航空機１の客室内の部分拡大図である。
【図３】Ｗｉ−Ｆｉ規格のチャネル群およびＢｌｕｅｔｏｏｔｈ規格のチャネル群の例を示す図である。
【図４】図１および図２の構成を、より模式的に示す図である。
【図５】Ｗｉ−Ｆｉ規格のチャネルと、Ｂｌｕｅｔｏｏｔｈ規格のチャネルとの干渉を低減し得る、Ｂｌｕｅｔｏｏｔｈ規格のチャネル割り当て例を示す図である。
【図６】サーバ装置１０のハードウェア構成を示す図である。
【図７】ＢＴ端末１２のハードウェア構成を示す図である。
【図８】シートモニタ１４のハードウェア構成を示す図である。
【図９】ＢＴ端末１２およびシートモニタ１４との間で行われる、Ｂｌｕｅｔｏｏｔｈチャネルの設定処理、およびＢＴ端末１２およびシートモニタ１４のそれぞれの処理手順を示す図である。
【図１０】主としてサーバ装置１０に関するＢｌｕｅｔｏｏｔｈチャネルの設定処理を示す図である。
【図１１】実施の形態２による無線通信システム１０１の構成を示す図である。
【図１２】Ｗｉ−ＦｉチャネルとＢｌｕｅｔｏｏｔｈチャネルとの干渉を低減し得る、実施の形態２にかかるＢｌｕｅｔｏｏｔｈチャネルの割り当て例を示す図である。
【図１３】ＢＴ端末１２およびシートモニタ１４との間で行われる、Ｂｌｕｅｔｏｏｔｈチャネルの設定処理、およびＢＴ端末１２およびシートモニタ１４のそれぞれの処理手順を示す図である。
【図１４】主としてサーバ装置１０に関するＢｌｕｅｔｏｏｔｈチャネルの設定処理を示す図である。
【図１５】実施の形態２にかかる干渉Ｂｌｕｅｔｏｏｔｈチャネルに関する変形例を示す図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって特許請求の範囲に記載の主題を限定することを意図するものではない。
【００１２】
（実施の形態１）
以下、図１〜図１０を用いて、実施の形態１を説明する。
【００１３】
［１−１．構成］
［１−１−１．ネットワーク環境］
図１は、航空機１の機内に設けられた、本開示にかかる無線通信システム１００の概略的な構成を示す。また図２は、航空機１の客室内の部分拡大図である。
【００１４】
図１に示されるように、無線通信システム１００は、サーバ装置１０と、Ｂｌｕｅｔｏｏｔｈ規格に対応する複数の無線通信装置（以下「ＢＴ端末」）１２と、複数のシートモニタ１４と、Ｗｉ−Ｆｉ規格の通信装置（以下「Ｗｉ−Ｆｉ端末」）１６と、Ｗｉ−Ｆｉ規格に対応する複数のワイヤレスＬＡＮアクセスポイント（以下「ワイヤレスアクセスポイント」）１８とを有する。
【００１５】
サーバ装置１０と各シートモニタ１４との間、およびサーバ装置１０と各ワイヤレスアクセスポイント１８との間は、有線ＬＡＮで接続されている。
【００１６】
サーバ装置１０は、音楽、映像等の複数種類のコンテンツを保持している。サーバ装置１０は、航空機１の乗客が各シートモニタ１４を利用して要求したコンテンツを提供する。またサーバ装置１０は、ワイヤレスアクセスポイント１８を介してＷｉ−Ｆｉ端末１６から要求を受け取り、その要求を、たとえば衛星通信回線を通じて外部のサーバ（図示せず）に送信する。サーバ装置１０は、外部のサーバから受信したデータを、ワイヤレスアクセスポイント１８を介してＷｉ−Ｆｉ端末１６に送信する。
【００１７】
各ＢＴ端末１２は、乗客が使用する、Ｂｌｕｅｔｏｏｔｈ規格に対応する無線通信装置である。本開示では、ＢＴ端末１２は航空機１の各シートに備え付けられているとする。図２に示されるように、ＢＴ端末１２はたとえばＢｌｕｅｔｏｏｔｈ規格対応ヘッドフォンであり、シートモニタ１４とＢｌｕｅｔｏｏｔｈ規格の通信を行ってシートモニタ１４において再生されているコンテンツの音声を再生する。
【００１８】
各シートモニタ１４は、航空機１の各シートに備え付けられた、モニタ付きのマルチメディア端末装置である。上述のように、シートモニタ１４は有線回線でサーバ装置１０と接続されており、また無線回線によってＢＴ端末１２と通信することができる。典型的には、シートモニタ１４はタッチスクリーンパネル付きのモニタであり、乗客からのコンテンツの指定をタッチスクリーンパネルで受け付けて、そのコンテンツの提供をサーバ装置１０に有線回線を介して要求する。シートモニタ１４は、サーバ装置１０から受信したコンテンツをモニタに表示しながら、Ｂｌｕｅｔｏｏｔｈ規格の無線通信で音声信号をＢＴ端末１２に送信する。
【００１９】
各Ｗｉ−Ｆｉ端末１６は、たとえば乗客が航空機１に持ち込む、Ｗｉ−Ｆｉ規格に対応した通信機器である。図２に示されるように、Ｗｉ−Ｆｉ端末１６は、たとえばＷｉ−Ｆｉ規格対応のＰＣ１６ａ、スマートフォン１６ｂである。
【００２０】
各ワイヤレスアクセスポイント１８は、航空機１の客室に設けられた、Ｗｉ−Ｆｉ規格の通信を行う基地局である。たとえば、各ワイヤレスアクセスポイント１８は客室中央部の天井に、直列状またはジグザグ状に設けられている。本実施の形態では、ワイヤレスアクセスポイントの各々は、互いに電波干渉を生じない通信可能領域が存在するよう設置されており、かつ、隣接するワイヤレスアクセスポイント同士には異なるチャネルが設定されている。これにより、電波が干渉することなく通信が行われ得る。本明細書では、各ワイヤレスアクセスポイント１８のチャネル番号は固定であるとする。なお、通信を行う機器同士は、同じチャネルを用いる必要がある。
【００２１】
［１−１−２．周波数帯域］
ここで、「チャネル」を説明する。
【００２２】
無線通信では、複数の機器が同時に通信できるよう、電波干渉を防ぐ目的で、予め定められた周波数帯域が複数に分割されている。「チャネル」とは、このように分割された各周波数帯域をいう。各チャネルは、中心周波数と帯域幅とによって特定され得る。
【００２３】
図３は、Ｗｉ−Ｆｉ規格のチャネル群およびＢｌｕｅｔｏｏｔｈ規格のチャネル群の例を示す。Ｗｉ−Ｆｉ規格およびＢｌｕｅｔｏｏｔｈ規格は、それぞれ固有のチャネルを有している。いずれの規格も、２．４ＧＨｚ近辺の周波数帯域を分割して複数のチャネルを設定している。なお、Ｂｌｕｅｔｏｏｔｈ規格に関しては、ここでは一例としてＢｌｕｅｔｏｏｔｈ  Ｃｌａｓｓｉｃ規格を意味するとして説明する。また、いずれの規格によるチャネルかを明確にするため、Ｗｉ−Ｆｉ規格のチャネルを「Ｗｉ−Ｆｉチャネル」と記述し、Ｂｌｕｅｔｏｏｔｈ規格のチャネルを「Ｂｌｕｅｔｏｏｔｈチャネル」または「ＢＴチャネル」と記述することもある。
【００２４】
Ｗｉ−Ｆｉ規格のチャネル群は、１３個または１４個のチャネルを有している。各チャネルの帯域幅は２２ＭＨｚである。Ｗｉ−Ｆｉ規格では、一般に、互いに干渉しない３個のチャネルを用いる。３個のチャネルは、たとえばチャネル１、６および１１である。図３には、チャネル１、６および１１の３個のチャネルが例示されている。チャネル１、６および１１の中心周波数は、それぞれ２．４１２、２．４３７、および２．４６２ＧＨｚである。チャネル１と６、およびチャネル６と１１との間は２２ＭＨｚよりも離れている。よって、これらのチャネル間では電波干渉は生じない。
【００２５】
Ｂｌｕｅｔｏｏｔｈ規格のチャネル群は、７９個のチャネルを有している。各チャネルの帯域幅は１ＭＨｚである。図３には、当該チャネル群を示す。各チャネルの中心周波数は、低い方から２．４０２、２．４０３、２．４０４、・・・、２．４８０ＧＨｚである。各チャネルは１ＭＨｚ離れている。よって、チャネル間で電波干渉は生じない。
【００２６】
Ｂｌｕｅｔｏｏｔｈ規格では、少なくとも合計２０個のＢｌｕｅｔｏｏｔｈ  Ｃｌａｓｓｉｃチャネルを設定する必要があり、通信時、それらのチャネル間を擬似ランダムにホッピングする。通信に使用する／しないＢｌｕｅｔｏｏｔｈチャネルは、３つの方法によって決定され得る。
【００２７】
第１は、上位装置（たとえばサーバ装置１０）によってＢａｄ／Ｕｎｋｎｏｗｎと設定されたチャネル分類情報（Ｃｈａｎｎｅｌ  ｃｌａｓｓｉｆｉｃａｔｉｏｎ  ｉｎｆｏｒｍａｔｉｏｎ  ｆｒｏｍ  ｔｈｅ  Ｈｏｓｔ  ｕｓｉｎｇ  ｔｈｅ  ＨＣＩ  Ｓｅｔ＿ＡＦＨ＿ｃｈａｎｎｅｌ＿ｃｌａｓｓｉｆｉｃａｔｉｏｎ  ｃｏｍｍａｎｄ）に基づく方法である。第２は、Ｂｌｕｅｔｏｏｔｈのマスタ装置（たとえばシートモニタ１４）が測定してＧｏｏｄ／Ｂａｄ／Ｕｎｋｎｏｗｎと判断したチャネル分類情報（Ｃｈａｎｎｅｌ  ｃｌａｓｓｉｆｉｃａｔｉｏｎ  ｆｒｏｍ  ｌｏｃａｌ  ｍｅａｓｕｒｅｍｅｎｔｓ）に基づく方法である。第３は、スレーブ装置（たとえばＢＴ端末１２）からＧｏｏｄ／Ｂａｄ／Ｕｎｋｎｏｗｎと報告されたチャネル分類情報（Ｃｈａｎｎｅｌ  ｃｌａｓｓｉｆｉｃａｔｉｏｎ  ｒｅｐｏｒｔｓ  ｒｅｃｅｉｖｅｄ  ｆｒｏｍ  ｓｌａｖｅｓ  ｉｎ  ＬＭＰ＿ｃｈａｎｎｅｌ＿ｃｌａｓｓｉｆｉｃａｔｉｏｎ  ＰＤＵｓ）に基づく方法である。
【００２８】
［１−１−３．本願発明者らが認識した課題および本願発明者らの知見］
図３に示すように、Ｗｉ−Ｆｉ規格の周波数帯域の一部とＢｌｕｅｔｏｏｔｈ規格の周波数帯域の一部は重複している。Ｂｌｕｅｔｏｏｔｈ規格の７９チャネルから、３つのＷｉ−Ｆｉチャネルと干渉するＢｌｕｅｔｏｏｔｈチャネルを差し引くと、残るＢｌｕｅｔｏｏｔｈチャネルは１１〜１４チャネルである。
【００２９】
本願発明者らは、使用するＷｉ−Ｆｉ規格の周波数帯域とは重複しない、または重複するものの干渉の影響が小さい周波数帯域のチャネルを用いてＢｌｕｅｔｏｏｔｈ規格の通信を行うことを考えた。
【００３０】
以下、本願発明者らが認識した課題を説明する。
【００３１】
Ｂｌｕｅｔｏｏｔｈチャネルの周波数帯域と３つのＷｉ−Ｆｉチャネル（たとえばｃｈ１、６、１１）の周波数帯域とが重複する環境では、Ｂｌｕｅｔｏｏｔｈのマスタ装置が測定して使えると判断したチャネルや、スレーブ装置から使えると報告されたチャネルを用いて通信しようとすると、Ｗｉ−Ｆｉ環境に大きな影響を与えてしまう場合がある。
【００３２】
たとえば、図３に示されるように、Ｗｉ−Ｆｉチャネル１、およびＢｌｕｅｔｏｏｔｈチャネル（周波数の低い方から１〜２２チャネル目）は、重複する周波数帯域Ｒ１を利用する。Ｗｉ−Ｆｉチャネル６および１１の各周波数帯域、および各Ｂｌｕｅｔｏｏｔｈチャネルの周波数帯域もまた、重複する周波数帯域Ｒ２およびＲ３を利用する。
【００３３】
いま、ＢＴ端末１２が、Ｗｉ−Ｆｉチャネル１のワイヤレスアクセスポイント１８の直下に位置し、また、Ｗｉ−Ｆｉチャネル６および１１のワイヤレスアクセスポイント１８が、チャネル１のワイヤレスアクセスポイント１８よりも遠くに位置する場合を想定する。Ｗｉ−Ｆｉチャネル１でのデータ送信がなく、かつ、チャネル６および１１でのデータ送信があるタイミングでシートモニタ１４が測定を行うと、Ｗｉ−Ｆｉチャネル１はＢＴ端末１２によって使用されていない、とシートモニタ１４は判断して、Ｗｉ−Ｆｉチャネル１と干渉するＢｌｕｅｔｏｏｔｈチャネルの使用が可能であるというチャネル分類情報を生成する。
【００３４】
しかしながら、ＢＴ端末１２近傍にはチャネル１を使用するワイヤレスアクセスポイント１８が存在するため、Ｗｉ−Ｆｉチャネル１でのデータ送信が開始されると、当該ワイヤレスアクセスポイント１８において、Ｂｌｕｅｔｏｏｔｈ通信との干渉が生じる。その結果、ＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）機構によって通信が行われず、データ送信ができなくなる可能性が高い。ＢＴ端末１２の数が増えるほど、その可能性は高くなる。
【００３５】
図４は、図１および図２の構成を、より模式的に示す。上段には、ワイヤレスアクセスポイント（ＷＡＰ）１８ａ〜１８ｄが設けられている。中段には、シートモニタ１４ａ〜１４ｆが設けられている。下段には、ＢＴ端末１２ａ〜１２ｆが設けられる。なお、図４には、１台のＷｉ−Ｆｉ端末１６ｂが例示されている。
【００３６】
ワイヤレスアクセスポイント１８ａおよび１８ｄにはＷｉ−Ｆｉチャネル１が割り当てられている。ワイヤレスアクセスポイント１８ｂおよび１８ｃにはそれぞれＷｉ−Ｆｉチャネル６および１１が割り当てられている。これにより、Ｗｉ−Ｆｉ規格の通信同士の電波干渉は抑制される。
【００３７】
航空機１内では、各シートに電波を到達させる必要があるため、電波の指向性が比較的広く設定されている。その結果、シートのレイアウトによっては、互いに隣接するワイヤレスアクセスポイントから放射される電波が両方とも利用可能な場合が存在する。たとえば図４におけるシートモニタ１４ａ、１４ｃ、および１４ｅは、隣接する２つのＷｉ−Ｆｉチャネルの電波を取得できる。一方、シートモニタ１４ｂ、１４ｄ、および１４ｆは、いずれも１つのワイヤレスアクセスポイント１８の電波のみを受信可能な位置に配置されている。
【００３８】
上述の環境下で、本願発明者らは、以下の方法により、各ＢＴ端末１２が利用するチャネルを決定すればよいことを見出した。
【００３９】
ＢＴ端末１２ａ、およびＢＴ端末１２ａと通信を行うシートモニタ１４ａを例に挙げて説明する。まず、シートモニタ１４ａは、シートモニタ１４ａと各ワイヤレスアクセスポイント１８ａ〜１８ｄとの距離に基づいて、最も近いワイヤレスアクセスポイントが用いるＷｉ−Ｆｉチャネルを把握する。本例では、シートモニタ１４ａはワイヤレスアクセスポイント１８ａに物理的に最も近いとする。
【００４０】
表１は、予め作成された、各シートモニタ１４と最寄りのワイヤレスアクセスポイントとの位置関係を示す。本明細書では、表１を、位置関係テーブルとも呼ぶことがある。表１には、ワイヤレスアクセスポイントとともにそのＷｉ−Ｆｉチャネル番号も併せて保持されている。さらに表１には、２番目に近いワイヤレスアクセスポイントおよびチャネル番号の情報も含まれている。この情報は、図４のシートモニタ１４ａ、１４ｃ、１４ｅが、複数のワイヤレスアクセスポイントと通信可能な位置に配置されている場合に設定される。Ｂｌｕｅｔｏｏｔｈチャネルが複数のＷｉ−Ｆｉチャネルと干渉し得る状況が存在するからである。
【００４１】
【表１】
2016086238.tif 000003
【００４２】
表１における「最寄り」や「２番目に近い」とは、それぞれ、シートモニタ１４が設けられるシート位置と各ワイヤレスアクセスポイント１８との距離が最も短い、および２番目に短いことを意味している。ここで言う「距離」とは、各ワイヤレスアクセスポイント１８が航空機１の客室天井に設けられるとした場合の、高さ方向を考慮した距離である。
【００４３】
シートモニタ１４ａは、表１に示す情報に基づいて、Ｗｉ−Ｆｉチャネル１を使用しないようにチャネル分類情報を生成する。
【００４４】
なお、一般的に、Ｂｌｕｅｔｏｏｔｈ規格の通信可能範囲は、Ｗｉ−Ｆｉ規格の通信可能範囲よりも狭い。したがって、シートモニタ１４ａは、ＢＴ端末１２ａの位置、またはシートモニタ１４ａ自らの位置（自装置の位置）を、ＢＴ端末１２ａの位置とみなしてもよい。
【００４５】
シートモニタ１４ａが、チャネル１のみならずチャネル６での通信も可能な位置に設けられている場合には、２番目に近いワイヤレスアクセスポイント１８ｂが使用するチャネル６と重複するＢｌｕｅｔｏｏｔｈチャネルを使用しないようにチャネル分類情報を生成することが好ましい。または、２番目に近いワイヤレスアクセスポイントが規定の距離以上離れている場合には、当該ワイヤレスアクセスポイントで使用するＷｉ−Ｆｉチャネル６と重複するＢｌｕｅｔｏｏｔｈチャネルを使用するように設定してもよい。
【００４６】
上述のＢＴ端末１２ａおよびシートモニタ１４ａにおけるＢｌｕｅｔｏｏｔｈチャネルの決定方法を、図４の各ＢＴ端末１２ａ〜１２ｆおよびシートモニタ１４ａ〜１４ｆのそれぞれに適用した例を、図５に示す。
【００４７】
図５は、本願発明者らによって見出された、Ｗｉ−Ｆｉ規格のチャネルと、Ｂｌｕｅｔｏｏｔｈ規格のチャネルとの干渉を低減し得る、Ｂｌｕｅｔｏｏｔｈ規格のチャネル割り当て例を示す。
【００４８】
図５（ａ）は、上述のＢＴ端末１２ａとシートモニタ１４ａとの間のＢｌｕｅｔｏｏｔｈ規格の通信で利用される、または利用されないチャネルを示す。
【００４９】
図５（ｂ）は、上述のＢＴ端末１２ｂとシートモニタ１４ｂとの間のＢｌｕｅｔｏｏｔｈ規格の通信で利用される、または利用されないチャネルを示す。この例では、Ｗｉ−Ｆｉチャネル６と重複する周波数帯域のＢｌｕｅｔｏｏｔｈチャネルは利用されず、それ以外のＢｌｕｅｔｏｏｔｈチャネルが利用される。
【００５０】
図５（ｃ）は、上述のＢＴ端末１２ｃとシートモニタ１４ｃとの間のＢｌｕｅｔｏｏｔｈ規格の通信で利用される、または利用されないチャネルを示す。この例では、Ｗｉ−Ｆｉチャネル６および１１と重複する周波数帯域のＢｌｕｅｔｏｏｔｈチャネルは利用されず、それ以外のＢｌｕｅｔｏｏｔｈチャネルが利用される。
【００５１】
図５（ｄ）は、上述のＢＴ端末１２ｄとシートモニタ１４ｄとの間のＢｌｕｅｔｏｏｔｈ規格の通信で利用される、または利用されないチャネルを示す。この例では、Ｗｉ−Ｆｉチャネル１１と重複する周波数帯域のＢｌｕｅｔｏｏｔｈチャネルは利用されず、それ以外のＢｌｕｅｔｏｏｔｈチャネルが利用される。  
【００５２】
図５（ｅ）は、上述のＢＴ端末１２ｅとシートモニタ１４ｅとの間のＢｌｕｅｔｏｏｔｈ規格の通信で利用される、または利用されないチャネルを示す。この例では、Ｗｉ−Ｆｉチャネル１および１１と重複する周波数帯域のＢｌｕｅｔｏｏｔｈチャネルは利用されず、それ以外のＢｌｕｅｔｏｏｔｈチャネルが利用される。
【００５３】
図５（ｆ）は、上述のＢＴ端末１２ｆとシートモニタ１４ｆとの間のＢｌｕｅｔｏｏｔｈ規格の通信で利用される、または利用されないチャネルを示す。この例では、Ｗｉ−Ｆｉチャネル１と重複する周波数帯域のＢｌｕｅｔｏｏｔｈチャネルは利用されず、それ以外のＢｌｕｅｔｏｏｔｈチャネルが利用される。
【００５４】
以上のように、本実施の形態による無線通信システム１００では、周波数帯域に関して、Ｂｌｕｅｔｏｏｔｈ規格で利用される７９個のチャネルのうちの６５〜６８個は、Ｗｉ−Ｆｉ規格の、互いに重複しない３個の通信チャネルのいずれかと重複している。ＢＴ端末１２とシートモニタ１４との間のＢｌｕｅｔｏｏｔｈ規格の通信には、１個のＷｉ−Ｆｉチャネルと周波数帯域が重複する２２個のＢｌｕｅｔｏｏｔｈチャネル以外のチャネルが利用される。または、ＢＴ端末１２とシートモニタ１４との無線通信には、２個のＷｉ−Ｆｉチャネルと周波数帯域が重複する４４個のＢｌｕｅｔｏｏｔｈチャネル以外のチャネルが利用される。利用されるＢｌｕｅｔｏｏｔｈチャネルは、各シートモニタ１４と各ワイヤレスアクセスポイント１８との位置関係に応じて決定される。このようにしてＢｌｕｅｔｏｏｔｈチャネルを決定することにより、干渉の影響が最も大きいＷｉ−Ｆｉチャネルを避けてＢｌｕｅｔｏｏｔｈチャネルを設定し、Ｗｉ−Ｆｉ規格およびＢｌｕｅｔｏｏｔｈ規格に基づく通信を独立して行うことが可能になる。
【００５５】
なお、ＢＴ端末１２とシートモニタ１４との間の通信で利用されるＢｌｕｅｔｏｏｔｈチャネルは、チャネル分類情報の「Ｇｏｏｄ」のステータスが与えられたチャネルに基づいて、シートモニタ１４によって決定される。
【００５６】
ただし、サーバ装置１０がＢｌｕｅｔｏｏｔｈチャネルを決定してもよい。サーバ装置１０は、各シートモニタ１４の位置の情報を保持しておく。サーバ装置１０は、上述のシートモニタ１４の処理と同じ処理を行い、上位装置として、使用を避けるべきＢｌｕｅｔｏｏｔｈチャネルをＢａｄ／Ｕｎｋｎｏｗｎによって示すチャネル分類情報を生成する。サーバ装置１０は、当該チャネル分類情報に指定されていないＢｌｕｅｔｏｏｔｈチャネルを、ＢＴ端末１２とシートモニタ１４との間の通信で利用するよう、シートモニタ１４に指示してもよい。
【００５７】
［１−２．本開示にかかる無線通信システム１００の構成の詳細］
以下、無線通信システム１００の各構成要素を説明する。
【００５８】
［１−２−１．サーバ装置１０の構成］
図６は、サーバ装置１０のハードウェア構成を示す。
【００５９】
サーバ装置１０は、ＣＰＵ２０１と、メモリ（ＲＡＭ）２０２と、ＲＯＭ２０３と、有線通信回路２０４と、ＨＤＤ２０５と、バス２０６とを有している。サーバ装置１０の各構成要素は、バス２０６によって相互に通信可能に接続されている。
【００６０】
ＣＰＵ２０１は、サーバ装置１０全体の動作を制御する信号処理回路である。本明細書では、ＣＰＵ２０１を、演算回路または制御回路と呼ぶことがある。ＣＰＵ２０１は、優先通信回路２０５を介してシートモニタ１４からコンテンツの要求を受け付け、指定されたコンテンツをＨＤＤ２０５から読み出してシートモニタ１４に送信する。
【００６１】
また、Ｂｌｕｅｔｏｏｔｈ規格に関してサーバ装置１０が上位装置として機能する場合、ＣＰＵ２０１は、ＨＤＤ２０５に保持した、シートモニタ１４と、各ワイヤレスアクセスポイント１８との位置関係（表１）を利用して、Ｂａｄ／Ｕｎｋｎｏｗｎと設定されたチャネル分類情報を生成する。処理の詳細は後述する。
【００６２】
なお、チャネル分類情報を生成すると共に、またはチャネル分類情報を生成することに代えて、ＣＰＵ２０１は、ＢＴ端末１２とシートモニタ１４との間の通信で利用するＢｌｕｅｔｏｏｔｈチャネルを決定し、シートモニタ１４に指示してもよい。
【００６３】
サーバ装置１０の処理は、ＣＰＵ２０１が、メモリ２０２に展開されたコンピュータプログラム２０７を実行することによって実現される。ＲＯＭ２０３は、コンピュータプログラム２０７を格納していてもよい。
【００６４】
［１−２−２．ＢＴ端末１２の構成］
図７は、ＢＴ端末１２のハードウェア構成を示す。
【００６５】
ＢＴ端末１２は、ＣＰＵ３０１と、メモリ（ＲＡＭ）３０２と、Ｂｌｕｅｔｏｏｔｈ規格の無線通信回路（以下「ＢＴ通信回路」）３０４と、バス３０５と、アンテナ３０７と、音声信号処理回路３０８と、スピーカ３０９とを有している。ＢＴ端末１２の各構成要素は、バス３０５によって相互に通信可能に接続されている。
【００６６】
ＣＰＵ３０１は、ＢＴ端末１２全体の動作を制御する信号処理回路である。本明細書では、ＣＰＵ３０１を、演算回路または制御回路と呼ぶことがある。ＣＰＵ３０１は、シートモニタ１４と通信して後述する図９に関する処理を行い、自らとシートモニタ１４とのペアリングを確立する。その処理は、たとえばＣＰＵ３０１が、メモリ３０２に格納されたコンピュータプログラム３０６を実行することによって実現される。なお、ＢＴ端末１２は、コンピュータプログラム３０６を格納するＲＯＭ（図示せず）を別途備えていてもよい。
【００６７】
ＢＴ端末１２はＢｌｕｅｔｏｏｔｈ規格に準拠した通信機能を有する。ＢＴ通信回路３０４は、アンテナ３０７を利用してＢｌｕｅｔｏｏｔｈ規格の通信処理を行う。ＢＴ通信回路３０４は、バッテリー（図示せず）の電力を利用してアンテナ３０７に所定の受信電力および送信電力を供給し、無線通信によりデータを授受する。ＢＴ通信回路３０４は、送受信の両方を行うとして説明しているが、その動作は、共にアンテナ３０７に接続された送信回路、および受信回路によって実現されている。なお、ＢＴ端末１２はＢｌｕｅｔｏｏｔｈ規格以外の通信規格（たとえばＷｉ−Ｆｉ規格）に従う通信機能を有していてもよい。
【００６８】
音声信号処理回路３０８は、スピーカ３０９から出力されるべき音声の信号を処理する回路である。
【００６９】
スピーカ３０９は、電気信号のエネルギによってコーンを振動させ、音波を生じさせる装置である。
【００７０】
［１−２−３．シートモニタ１４の構成］
図８は、シートモニタ１４のハードウェア構成を示す。
【００７１】
シートモニタ１４は、ＣＰＵ４０１と、メモリ（ＲＡＭ）４０２と、フラッシュメモリ４０３と、有線通信回路４０４ｗと、Ｂｌｕｅｔｏｏｔｈ規格の無線通信回路（以下「ＢＴ通信回路」）４０４ｂｔと、バス４０５と、ディスプレイ４０９と、有線配線４０７ｗと、アンテナ４０７ｂｔと、映像／音声信号処理回路４０８とを有している。シートモニタ１４の構成要素は、バス４０５によって相互に通信可能に接続されている。
【００７２】
ＣＰＵ４０１は、シートモニタ１４全体の動作を制御する信号処理回路である。本明細書では、ＣＰＵ４０１を、演算回路または制御回路と呼ぶことがある。ＣＰＵ４０１は、ＢＴ機器１２と通信して後述する図９に関する処理を行い、自らとＢＴ機器１２とのペアリングを確立する。その処理は、たとえばＣＰＵ４０１が、メモリ４０２に格納されたコンピュータプログラム４０６を実行することによって実現される。フラッシュメモリ４０３は、映像データや音声データを格納する。なおフラッシュメモリ４０３は、さらにコンピュータプログラム４０６を格納していてもよいし、コンピュータプログラム４０６を格納するＲＯＭ（図示せず）を別途備えていてもよい。
【００７３】
シートモニタ１４はＢｌｕｅｔｏｏｔｈ規格に準拠した通信機能を有する。ＢＴ通信回路４０４ｂｔは、アンテナ４０７ｂｔを利用してＢｌｕｅｔｏｏｔｈ規格の通信処理を行う。ＢＴ通信回路４０４ｂｔは、航空機のバッテリー（図示せず）の電力を利用してアンテナ４０７ｂｔに所定の受信電力および送信電力を供給し、無線通信によりデータを授受する。ＢＴ通信回路４０４ｂｔは、送受信の両方を行うとして説明しているが、その動作は、共にアンテナ４０７ｂｔに接続された送信回路、および受信回路によって実現されている。なお、シートモニタ１４はＢｌｕｅｔｏｏｔｈ規格以外の通信規格（たとえばＷｉ−Ｆｉ規格）に従う通信機能を有していてもよい。
【００７４】
映像／音声信号処理回路４０８は、ディスプレイ４０９に表示すべき映像や、スピーカ（図示せず）から出力されるべき音声の信号を処理する回路である。なお映像／音声信号処理回路４０８は、映像専用回路と音声専用回路とに分けられていてもよい。
【００７５】
ディスプレイ４０９は、映像を表示する表示装置である。スマートフォンのように、ディスプレイ４０９にタッチスクリーンパネルが設けられ、ユーザが表示位置に触れて入力できるよう構成されていてもよい。また、ボタン等の入力装置が設けられていてもよい。
【００７６】
なお、Ｗｉ−Ｆｉ端末１６およびワイヤレスアクセスポイント１８の図示は省略する。ワイヤレスアクセスポイント１８は、Ｗｉ−Ｆｉ規格に準拠した動作を行う機器であればよい。たとえばワイヤレスアクセスポイント１８は、予め設定されたＷｉ−Ｆｉチャネルで通信し、通信によって得られた信号をその内部で電気信号に変換して他の構成要素に送る。また、ワイヤレスアクセスポイント１８は、他の構成要素（サーバ装置１０など）から得られた電気信号をＷｉ−Ｆｉ規格の無線信号に変換して放射する。これらの動作を行うための、無線送受信回路、プロセッサ、およびバッファメモリを備えていればよい。
【００７７】
Ｗｉ−Ｆｉ端末１６は、ワイヤレスアクセスポイント１８との間でＷｉ−Ｆｉ規格にしたがった無線通信を行う。利用するチャネルは相互に同じである。上述したように、Ｗｉ−Ｆｉ端末１６は、たとえばＷｉ−Ｆｉ規格対応のＰＣ１６ａ、スマートフォン１６ｂである（図２）。
【００７８】
［１−３．動作］
図９は、ＢＴ端末１２およびシートモニタ１４との間で行われる、Ｂｌｕｅｔｏｏｔｈチャネルの設定処理、およびＢＴ端末１２およびシートモニタ１４のそれぞれの処理手順を示す。図９は、シートモニタ１４によってＢｌｕｅｔｏｏｔｈ規格の通信を行うためのＢｌｕｅｔｏｏｔｈチャネルが設定され、ＢＴ端末１２と通信を行うまでの処理の例である。この処理にはサーバ装置１０は関与しない。なお、理解の促進のため、図４のシートモニタ１４ａと、ＢＴ端末１２ａとの間で行われる処理であるとして説明する。
【００７９】
ステップＳ１において、ＢＴ端末１２ａのＣＰＵ２０１は、シートモニタ１４ａを相手としてペアリング処理を行う。ペアリング処理は、予め定められた複数の特定周波数のＢｌｕｅｔｏｏｔｈチャネルを利用して行われる。
【００８０】
ステップＳ２において、ＢＴ端末１２ａとシートモニタ１４ａとの間でペアリングが確立する。
【００８１】
ステップＳ３において、シートモニタ１４ａのＣＰＵ４０１は、位置関係テーブル（表１）を参照して、シートモニタ１４ａの最寄りの／２番目に近いワイヤレスアクセスポイントおよびチャネル番号を特定する。表１の例では、最寄りのワイヤレスアクセスポイント１８ａ（図４）とチャネル番号１が特定され、２番目に近いワイヤレスアクセスポイントとして、ワイヤレスアクセスポイント１８ｂ（図４）とチャネル番号６が特定される。なお表１の例では、図４に示すシートモニタ１４ｂの場合には、２番目に近いワイヤレスアクセスポイントは特定されず、最寄りのワイヤレスアクセスポイントのみが特定される。
【００８２】
ステップＳ４において、シートモニタ１４ａのＣＰＵ４０１は、ワイヤレスアクセスポイントのチャネル番号からその周波数帯域を特定し、さらにその周波数帯域に重複しない周波数帯域に属するＢｌｕｅｔｏｏｔｈチャネルを特定する。図３から明らかなように、チャネル番号と周波数帯域は規格化されているため、ワイヤレスアクセスポイントのチャネル番号が分かれば、その周波数帯域を特定可能であり、さらにその周波数帯域に重複しない周波数帯域に属するＢｌｕｅｔｏｏｔｈチャネルも特定可能である。シートモニタ１４ａのＣＰＵ４０１は、図５（ａ）に示すように、ワイヤレスアクセスポイントのチャネル１および６に対応する周波数帯域のＢｌｕｅｔｏｏｔｈチャネルは利用せず、それ以外の周波数帯域のＢｌｕｅｔｏｏｔｈチャネルを特定する。
【００８３】
ステップＳ５において、シートモニタ１４ａのＣＰＵ４０１は、特定したＢｌｕｅｔｏｏｔｈチャネルを設定する。そしてＢＴ端末１２ａに、利用するＢｌｕｅｔｏｏｔｈチャネルを伝える。
【００８４】
ステップＳ６において、ＢＴ端末１２ａおよびシートモニタ１４ａは、設定されたＢｌｕｅｔｏｏｔｈチャネルを用いてＢｌｕｅｔｏｏｔｈ規格の通信を行う。
【００８５】
図１０は、主としてサーバ装置１０に関するＢｌｕｅｔｏｏｔｈチャネルの設定処理を示す。図１０のステップのうち、図９に含まれるステップには同じ参照符号を付し、その説明は省略する。なお、図９のステップＳ３はシートモニタ１４のＣＰＵ４０１に拠って行われていたが、図１０のステップＳ３はサーバ装置１０のＣＰＵ２０１によって行われる。それ以外は同じである。
【００８６】
ステップＳ１１において、サーバ装置１０のＣＰＵ２０１は、シートモニタ１４に最寄りのワイヤレスアクセスポイント１８で利用する周波数に重複する周波数のＢｌｕｅｔｏｏｔｈチャネルを特定し、チャネル分類情報を更新する。上述のように、サーバ装置１０が管理するチャネル分類情報は、ＢｌｕｅｔｏｏｔｈチャネルにはＢａｄ／Ｕｎｋｎｏｗｎという属性が設定される。本実施の形態では、Ｗｉ-Fｉチャネルに重複するＢｌｕｅｔｏｏｔｈチャネルの使用を回避するため、そのようなＢｌｕｅｔｏｏｔｈチャネルの情報をチャネル分類情報に設定することとした。
【００８７】
ステップＳ１２において、サーバ装置１０のＣＰＵ２０１は、チャネル分類情報で特定されるＢＴチャネル以外のＢＴチャネルの設定を指示する。この処理の結果、シートモニタ１４およびＢＴ端末１２の間で、Ｗｉ-Fｉチャネルに干渉しないＢｌｕｅｔｏｏｔｈチャネルが設定される。
【００８８】
これまでの説明では、シートモニタ１４と各ワイヤレスアクセスポイント１８との距離に基づいて、最寄りの、または２番目に近いワイヤレスアクセスポイント１８が用いるＷｉ−Ｆｉチャネルを把握した。この距離は、高さ方向を考慮した、シートモニタ１４と各ワイヤレスアクセスポイント１８との３次元的に計測した距離であるとして説明した。しかしながらこれは一例である。さらに、機体の幅方向のワイヤレスアクセスポイント１８とシートモニタ１４の設置間隔を考慮してもよい。「機体の幅方向」を考慮する必要が生じる理由は、各ワイヤレスアクセスポイントは、航空機の真上から位置したときに、必ずしも一直線上に配置されるとは限らないからである。たとえば、２本ある通路上に、各ワイヤレスアクセスポイントがジグザグに（交互に）配置される可能性がある。３次元または２次元的な距離を考えるときは、このようなジグザグ配置を考慮して、機体の幅方向の設置位置を考慮する必要がある場合があり得る。
【００８９】
さらに、距離は、ワイヤレスアクセスポイント１８とシートモニタ１４の高さの差を考慮しない、２次元的に（たとえば図面上で）計測した距離であってもよい。または、ワイヤレスアクセスポイント１８とシートモニタ１４の高さの差および機体の幅方向のワイヤレスアクセスポイント１８とシートモニタ１４の設置間隔を考慮しない、１次元での距離であってもよい。
【００９０】
また、各シートモニタと最寄りのワイヤレスアクセスポイントとの位置関係として、距離に代えて以下の情報を用いてもよい。
（１）シートモニタ１４の位置情報としてシートモニタ１４が設置されるシートの位置を特定可能なシートの番号、およびワイヤレスアクセスポイント１８の位置情報
（２）位置関係は、ＬＯＰＡ  （Ｌａｙ  Ｏｕｔ  ｏｆ  Ｐａｓｓｅｎｇｅｒ  Ａｃｃｏｍｍｏｄａｔｉｏｎ  ：  機体客室のレイアウト情報）に基づいてもよい。
（３）ワイヤレスアクセスポイント１８からの信号の強度
（４）Ｂｌｕｅｔｏｏｔｈ機器のＩＰアドレス。サーバ装置１０は、Ｂｌｕｅｔｏｏｔｈ機器のＩＰアドレスと位置情報の対応関係を保持していて、Ｂｌｕｅｔｏｏｔｈ機器のＩＰアドレスに基づいて、当該Ｂｌｕｅｔｏｏｔｈ機器に対して使用する／しないチャネルを決定してもよい。
【００９１】
なお、シートモニタ１４とワイヤレスアクセスポイント１８との距離は、可変であってもよいし固定であってもよい。
【００９２】
本実施の形態では、各シートモニタとワイヤレスアクセスポイントとの位置関係を利用して、利用するＢＴチャネルを決定するとした。しかしながら、シートモニタに代えて、各ＢＴ端末とワイヤレスアクセスポイントとの位置関係を利用してもよい。各ＢＴ端末が持ち運び可能であれば位置関係は固定されないことになるが、たとえばシートごとにＢＴ端末が設けられるとした場合には、ＢＴ端末の位置を近似的かつ固定的に設定し得る。よって各ＢＴ端末と各ワイヤレスアクセスポイントとの位置関係を予め保持し、上述の処理を適用し得る。
【００９３】
［１−４．効果等］
以上のように、本実施の形態において、無線通信システム１００は、第１通信方式（Ｂｌｕｅｔｏｏｔｈ規格の通信方式）で互いに無線通信を行うＢＴ端末１２およびシートモニタ１４と、第１通信方式とは異なる第２通信方式（Ｗｉ−Ｆｉ規格の通信方式）で無線通信を行うことが可能な、複数のワイヤレスアクセスポイント１８とを備えている。Ｂｌｕｅｔｏｏｔｈ規格では、７９個の通信チャネルのうちの２０個以上の通信チャネルを利用することが要求されており、周波数に関して、７９個の通信チャネルのうちの６５〜６８個は、Ｗｉ−Ｆｉ規格で利用される、互いに干渉しない３個の通信チャネルと重複している。Ｂｌｕｅｔｏｏｔｈ規格７９個の通信チャネルから、Ｗｉ−Ｆｉ規格で利用される通信チャネルと周波数帯域が重複する、６５〜６８個の通信チャネル数を差し引くと、Ｂｌｕｅｔｏｏｔｈ規格で利用することが要求されている最小の通信チャネル数（２０個）よりも小さい。つまり、Ｗｉ−Ｆｉ規格と重複しない周波数帯域のみでＢｌｕｅｔｏｏｔｈ規格の通信チャネルを確保することはできない。このとき、ＢＴ端末１２およびシートモニタ１４との無線通信にはｍ個（ｍ：正の整数、２０≦ｍ＜７９）の通信チャネルが利用され、当該ｍ個の通信チャネルはシートモニタ１４と複数のワイヤレスアクセスポイント１８の各々との位置関係に応じて決定されている。
【００９４】
本実施の形態によれば、シートモニタ１４と複数のワイヤレスアクセスポイント１８の各々との位置関係に応じて決定される。たとえば、シートモニタ１４と相対的に近い位置のワイヤレスアクセスポイント１８が用いるＷｉ−Ｆｉ規格の通信チャネルを用いると干渉の影響が相対的に大きいと想定される。そこで、そのＷｉ−Ｆｉチャネルを避けてＢｌｕｅｔｏｏｔｈチャネルを設定し、Ｗｉ−Ｆｉ規格およびＢｌｕｅｔｏｏｔｈ規格に基づく通信を独立して行うことが可能になる。
【００９５】
（実施の形態２）
［２−１．構成］
［２−１−１．ネットワーク環境］
実施の形態１の無線通信システム１００と同様、無線通信システムもまたＢＴ端末およびＷｉ-Ｆｉ端末を含み、Ｗｉ−Ｆｉ規格およびＢｌｕｅｔｏｏｔｈ規格にそれぞれ対応した通信が独立して行われる。
【００９６】
しかしながら、下記に説明する構成の相違に起因して、本実施の形態にかかる無線通信システムは、実施の形態１の無線通信システム１００とは異なる方法でＢｌｕｅｔｏｏｔｈ規格の干渉を低減する。以下、構成の相違を説明する。
【００９７】
実施の形態１の無線通信システム１００では、ワイヤレスアクセスポイントの各々は、互いに電波干渉を生じない通信可能領域が存在するよう設置されており、かつ、隣接するワイヤレスアクセスポイント同士には異なるチャネルが設定されているとした。
【００９８】
本実施の形態の無線通信システム１０１では、ワイヤレスアクセスポイントの各々はいわゆるリーキーフィーダータイプのケーブルと接続されており、その結果、航空機１の客室内では、Ｗｉ-Ｆｉ端末１６はいずれのＷｉ−Ｆｉチャネルでも通信可能である。
【００９９】
図１１は、本実施の形態による無線通信システム１０１の構成を示す。図１および図２と同様、本実施の形態による無線通信システム１０１もまた、航空機１内に設けられるとする。
【０１００】
リーキーフィーダータイプのケーブルとは、通信に用いられる電線であって、信号を伝送すると共に、電波を漏らすことでアンテナとしても機能するよう設計されたケーブルのことである。たとえばケーブルには、細長い穴（スロット）が設けられており、ケーブルの周囲に電波が輻射される。これにより、ケーブル沿いに電波が放射され、または受信することが可能となっている。
【０１０１】
図１１には、リーキーフィーダータイプのケーブルＬ１〜Ｌ３と接続されているワイヤレスアクセスポイント１８ａ〜１８ｃが示されている。ワイヤレスアクセスポイント１８ａ〜１８ｃの各々は、ケーブルＬ１〜Ｌ３を介して、自らに設定されたチャネルの周波数の信号を授受することが可能である。ケーブルＬ１〜Ｌ３は航空機１の客室天井に敷設されている。客室内には、シートの位置にかかわらず、全てのＷｉ−Ｆｉチャネルの周波数帯域の電波が到達する。これにより、客室内では、Ｗｉ−Ｆｉ端末１６ｂは、いずれのＷｉ−Ｆｉチャネルでも通信可能である。なお、本実施の形態では、利用されるＷｉ−Ｆｉチャネルはチャネル１、６および１１の３つであるとしているため、３つのワイヤレスアクセスポイント１８ａ〜１８ｃを設けている。
【０１０２】
なお、ＢＴ端末１２ａ〜１２ｆおよびシートモニタ１４ａ〜１４ｆは、実施の形態１と同じであり、それぞれが複数のＢｌｕｅｔｏｏｔｈチャネルを利用してＢｌｕｅｔｏｏｔｈ規格の通信を行う。
【０１０３】
［２−１−２．周波数帯域］
本実施の形態においては、Ｂｌｕｅｔｏｏｔｈ規格およびＷｉ−Ｆｉ規格において使用する周波数帯域は、上記項目１−１−２（たとえば図３）と同じである。したがって、それらの説明は省略する。
【０１０４】
［２−１−３．本願発明者らが認識した課題および本願発明者らの知見］
無線通信システム１０１のように、３つのＷｉ−Ｆｉチャネルが客室全体に放射されている環境下では、Ｗｉ−Ｆｉチャネルと干渉しないＢｌｕｅｔｏｏｔｈチャネルの数を十分に確保することができない。そのため、Ｗｉ−Ｆｉ規格による通信と、Ｂｌｕｅｔｏｏｔｈ規格による通信との間で、電波の干渉が発生してしまう。これは、リーキーフィーダータイプのケーブルＬ１〜Ｌ３を用いていない環境、たとえば３つのＷｉ−Ｆｉチャネルがシートモニタ１４の近傍に存在する環境下でも同様である。
【０１０５】
本願発明者らは、以下の方法によってＢｌｕｅｔｏｏｔｈチャネルを設定することにより、Ｗｉ−ＦｉおよびＢｌｕｅｔｏｏｔｈによる通信の干渉の影響を低減する方法を見出した。
【０１０６】
図１２は、本願発明者らによって見出された、Ｗｉ−ＦｉチャネルとＢｌｕｅｔｏｏｔｈチャネルとの干渉を低減し得る、本実施の形態にかかるＢｌｕｅｔｏｏｔｈチャネルの割り当て例を示す。図１２（ａ）〜（ｆ）は、それぞれ図１１のＢＴ端末１２ｎとシートモニタ１４ｎ（ｎ：ａ〜ｆ）に適用した例を示す。なお、以下では、Ｂｌｕｅｔｏｏｔｈチャネルの選択および設定は、シートモニタ１４ａ〜１４ｆの各々によって行われるとする。
【０１０７】
まず、シートモニタ１４ａ〜１４ｆの各々は、Ｗｉ-Ｆｉに干渉しないＢｌｕｅｔｏｏｔｈチャネル（優先Ｂｌｕｅｔｏｏｔｈチャネル）を優先的に選択する。優先Ｂｌｕｅｔｏｏｔｈチャネルは事前に特定されていてもよいし、Ｂｌｕｅｔｏｏｔｈ規格の通信が行われる時点で使用されているＷｉ−Ｆｉチャネルから特定されてもよい。
【０１０８】
優先Ｂｌｕｅｔｏｏｔｈチャネルは、図１２における、Ｗｉ−Ｆｉチャネル１および６の間の周波数帯域に対応するＢｌｕｅｔｏｏｔｈチャネル、Ｗｉ−Ｆｉチャネル６および１１の間の周波数帯域に対応するＢｌｕｅｔｏｏｔｈチャネル、およびＷｉ−Ｆｉチャネル１１より高い周波数帯域のＢｌｕｅｔｏｏｔｈチャネルである。
【０１０９】
続いて、シートモニタ１４ａ〜１４ｆの各々は、先に優先的に選択したＢｌｕｅｔｏｏｔｈチャネルの総和が２０個になるまで、優先Ｂｌｕｅｔｏｏｔｈチャネル以外のＢｌｕｅｔｏｏｔｈチャネル、つまり、Ｗｉ-Ｆｉチャネルに干渉するＢｌｕｅｔｏｏｔｈチャネル（以下「干渉Ｂｌｕｅｔｏｏｔｈチャネル」と記述する。）が選択される。このとき、干渉Ｂｌｕｅｔｏｏｔｈチャネルの選択は、シートモニタ１４ａ〜１４ｆ間で均等になるように制御される。干渉Ｂｌｕｅｔｏｏｔｈチャネルが均等に選択されるため、干渉Ｂｌｕｅｔｏｏｔｈチャネルでのパケット衝突が発生しにくくなる。よって、Ｂｌｕｅｔｏｏｔｈ通信時の再送率が下がり、間接的には、Ｗｉ−Ｆｉ通信との干渉も低減できる。
【０１１０】
以上のように、本実施の形態による無線通信システム１０１では、Ｂｌｕｅｔｏｏｔｈ規格で利用される７９個のチャネルのうち、Ｗｉ−Ｆｉ規格で利用される３個の通信チャネルの周波数帯域と重複しない周波数帯域に属する数のＢｌｕｅｔｏｏｔｈチャネルが優先して利用されている。
【０１１１】
さらに、ＢＴ端末１２およびシートモニタ１４の組が複数存在し、Ｂｌｕｅｔｏｏｔｈ規格において必要とされるチャネル数が確保できない場合には、不足するＢｌｕｅｔｏｏｔｈチャネルは、Ｂｌｕｅｔｏｏｔｈ規格の全チャネルから、優先的に設定されるＢｌｕｅｔｏｏｔｈチャネルを除いた残りのＢｌｕｅｔｏｏｔｈチャネルの中から、シートモニタ１４間で実質的に均等に分散するよう決定されている。
【０１１２】
［２−２．本開示にかかる無線通信システム１０１の構成の詳細］
無線通信システム１０１の各構成要素のハードウェアは、実施の形態１にかかる無線通信システム１００の各構成要素のハードウェアと実質的に同じである。したがって、サーバ装置１０の構成は上述の項目１−２−１の説明を援用し、ＢＴ端末１２の構成は上述の項目１−２−２の説明を援用し、シートモニタ１４の構成は上述の項目１−２−３の説明を援用する。相違点は、次に説明する動作に関連して説明する。
【０１１３】
［２−３．動作］
以下、無線通信システム１０１において行われる動作を説明する。
【０１１４】
図１３は、ＢＴ端末１２およびシートモニタ１４との間で行われる、Ｂｌｕｅｔｏｏｔｈチャネルの設定処理、およびＢＴ端末１２およびシートモニタ１４のそれぞれの処理手順を示す。図１３は、シートモニタ１４によってＢｌｕｅｔｏｏｔｈ規格の通信を行うためのＢｌｕｅｔｏｏｔｈチャネルが設定され、ＢＴ端末１２と通信を行うまでの処理の例である。この処理にはサーバ装置１０は関与しない。なお、理解の促進のため、図１１のシートモニタ１４ａと、ＢＴ端末１２ａとの間で行われる処理であるとして説明する。
【０１１５】
なお、図１３のステップのうち、図９に含まれるステップには同じ参照符号を付し、その説明は省略する。以下では、利用されるＷｉ−Ｆｉチャネルは予め設定されており、さらに、使用するＢｌｕｅｔｏｏｔｈチャネルも予め設定されているとする。
【０１１６】
ステップＳ２１において、シートモニタ１４ａのＣＰＵ４０１は、予め定められた優先Ｂｌｕｅｔｏｏｔｈチャネルを特定する情報を読み出す。
【０１１７】
そしてステップＳ２２において、ＣＰＵ４０１は、予め定められた干渉Ｂｌｕｅｔｏｏｔｈチャネルを特定する情報を読み出す。優先Ｂｌｕｅｔｏｏｔｈチャネルを特定する情報および干渉Ｂｌｕｅｔｏｏｔｈチャネルを特定する情報は、各シートモニタ１４に固有の情報として、予めメモリ４０２またはフラッシュメモリ４０３に格納されている。干渉Ｂｌｕｅｔｏｏｔｈチャネルは、シートモニタ１４の全体で均等に利用されるよう、シートモニタ１４ごとに事前に設定されている。
【０１１８】
ステップＳ２３において、ＣＰＵ４０１は、読み出した優先Ｂｌｕｅｔｏｏｔｈチャネルを特定する情報および干渉Ｂｌｕｅｔｏｏｔｈチャネルを特定する情報を設定する。
【０１１９】
なお、本実施の形態では、Ｗｉ−ＦｉチャネルとＢｌｕｅｔｏｏｔｈチャネルとを例示したため、ステップＳ２２では、無条件で干渉Ｂｌｕｅｔｏｏｔｈチャネルを特定する情報を読み出すとした。しかしながら、他の通信規格を利用することにより、規格上必要とされるチャネル数が、優先チャネル数以内に収まる場合には、ステップＳ２２の処理は不要である。また、たとえばステップＳ２１とＳ２２の間に、優先チャネル以外のチャネルが必要であるかどうかの判断を行うステップを含め、必要とされる場合にはステップＳ２２に進むようにしてもよい。
【０１２０】
またステップＳ２２では、干渉Ｂｌｕｅｔｏｏｔｈチャネルは、シートモニタ１４の全体で均等に利用されるよう、シートモニタ１４ごとに事前に設定されているとした。変形例として、各シートモニタ１４が自律的に干渉Ｂｌｕｅｔｏｏｔｈチャネルを決定してもよい。すなわち、シートモニタ１４同士が相互に通信を行い、現在使用している干渉Ｂｌｕｅｔｏｏｔｈチャネルを特定するチャネル分類情報を相互に授受する。そして、シートモニタ１４間で実質的に均等に分散するよう、使用頻度が小さいＢｌｕｅｔｏｏｔｈチャネルをシートモニタ１４のＣＰＵ４０１が特定し、干渉Ｂｌｕｅｔｏｏｔｈチャネルとして決定してもよい。
【０１２１】
図１４は、主としてサーバ装置１０に関するＢｌｕｅｔｏｏｔｈチャネルの設定処理を示す。図１４のステップのうち、図１０または１３に含まれるステップには同じ参照符号を付し、その説明は省略する。なお、図９のステップＳ３はシートモニタ１４のＣＰＵ４０１に拠って行われていたが、図１０のステップＳ３はサーバ装置１０のＣＰＵ２０１によって行われる。それ以外は同じである。
【０１２２】
ステップＳ３０において、サーバ装置１０のＣＰＵ２０１は、シートモニタ１４に、読み出した優先Ｂｌｕｅｔｏｏｔｈチャネルおよび干渉Ｂｌｕｅｔｏｏｔｈチャネルの設定を指示する。実施の形態１のサーバ装置１０（図１０）は、チャネル分類情報を利用してシートモニタ１４に指示したが、本実施の形態では干渉Ｂｌｕｅｔｏｏｔｈチャネルがシートモニタ１４間で均等に分散するよう、サーバ装置１０がＢｌｕｅｔｏｏｔｈチャネルを制御するため、特にチャネル分類情報という枠組みを用いていない。
【０１２３】
ただし上述の処理もまた一例である。たとえば使用可能な干渉Ｂｌｕｅｔｏｏｔｈチャネルの情報を、各シートモニタ１４がランダムに選択し、結果的に均等に分散させてもよい。
【０１２４】
図１５は、本実施の形態にかかる干渉Ｂｌｕｅｔｏｏｔｈチャネルに関する変形例を示す。この例では、干渉Ｂｌｕｅｔｏｏｔｈチャネルに属する複数のチャネル間で、優先度がつけられている。図１５では、Ｗｉ−Ｆｉチャネル１または６と干渉するＢｌｕｅｔｏｏｔｈチャネルよりも、Ｗｉ−Ｆｉチャネル１１と干渉するＢｌｕｅｔｏｏｔｈチャネルの利用を優先している。
【０１２５】
［２−４．効果等］
以上のように、本実施の形態において、無線通信システム１０１は、各々が第１通信方式（Ｂｌｕｅｔｏｏｔｈ規格の通信方式）で無線通信を行う複数のＢＴ端末１２および複数のシートモニタ１４と、第１通信方式とは異なる第２通信方式（Ｗｉ−Ｆｉ規格の通信方式）で無線通信を行う、複数のワイヤレスアクセスポイント１８とを備えている。この無線通信システム１０１には、１対１で無線通信を行うＢＴ端末１２およびシートモニタ１４の組が複数存在する。Ｂｌｕｅｔｏｏｔｈ規格では、７９個の通信チャネルのうちの２０個以上の通信チャネルを利用することが要求されており、周波数に関して、７９個の通信チャネルのうちの６５〜６８個は、Ｗｉ−Ｆｉ規格で利用される、互いに干渉しない３個の通信チャネルと重複している。Ｂｌｕｅｔｏｏｔｈ規格７９個の通信チャネルから、Ｗｉ−Ｆｉ規格で利用される通信チャネルと周波数帯域が重複する、６５〜６８個の通信チャネル数を差し引くと、Ｂｌｕｅｔｏｏｔｈ規格で利用することが要求されている最小の通信チャネル数（２０個）よりも小さい。つまり、Ｗｉ−Ｆｉ規格と重複しない周波数帯域のみでＢｌｕｅｔｏｏｔｈ規格の通信チャネルを確保することはできない。このとき、ＢＴ端末１２およびシートモニタ１４の各組におけるＢｌｕｅｔｏｏｔｈ通信にｍ個（ｍ：正の整数、２０≦ｍ＜７９）の通信チャネルが利用される場合において、７９個の通信チャネルのうち、Ｗｉ−Ｆｉ規格で利用される通信チャネルに重複しない周波数帯域に属する個数の通信チャネルが優先して利用される。
【０１２６】
これにより、少なくともこれらの通信チャネルを用いたＢｌｕｅｔｏｏｔｈ規格の通信に関しては、干渉の影響を低減することが可能になる。
【０１２７】
ＢＴ端末１２およびシートモニタ１４の各組における無線通信に利用されるｍ個のうちの残りのｍ−（７９−２０）個の通信チャネルは、Ｗｉ−Ｆｉ規格で利用される３個の通信チャネルと重複する６５〜６８個の通信チャネルの中から均等に選択される。
【０１２８】
これにより、Ｗｉ−Ｆｉチャネルとの干渉の影響を分散させてＢｌｕｅｔｏｏｔｈチャネルを設定し、Ｗｉ−Ｆｉ規格およびＢｌｕｅｔｏｏｔｈ規格に基づく通信を行うことが可能になる。
【０１２９】
（他の実施の形態）
以上のように、本出願において開示する技術の例示として、実施の形態１および２を説明した。しかしながら、本開示における技術は、これに限定されず、適宜、変更、置き換え、付加、省略などを行った実施の形態にも適用可能である。
【０１３０】
上述のいずれの実施の形態においても、シートモニタ１４は、以下の情報に基づいて、使用する／しないＢｌｕｅｔｏｏｔｈチャネルをさらに設定してもよい。
（ａ）Ｗｉ−Ｆｉ混雑状況の情報（たとえば、接続する機器数、通信データ量）を利用する。混雑しているＷｉ−Ｆｉチャネルと同じ周波数帯域のＢｌｕｅｔｏｏｔｈチャネルを使わないことにより、Ｂｌｕｅｔｏｏｔｈ通信の干渉を抑制できる。
（ｂ）Ｂｌｕｅｔｏｏｔｈ混雑状況の情報を利用する。Ｂｌｕｅｔｏｏｔｈ通信の混雑時はＷｉ-Ｆｉチャネルと同じ周波数帯のＢｌｕｅｔｏｏｔｈチャネルを積極的に利用してもよい。
（ｃ）Ｂｌｕｅｔｏｏｔｈ機器に接続する外部端末のプロファイルを利用する。
【０１３１】
ＨＩＤ（Ｈｕｍａｎ  Ｉｎｔｅｒｆａｃｅ  Ｄｅｖｉｃｅ）プロファイルでは、低ＣＩＲ（Ｃａｒｒｉｅｒ−ｔｏ−Ｉｎｔｅｒｆｅｒｅｎｃｅ  Ｒａｔｉｏ）の小パケットで通信する（被干渉の影響と与干渉が小さい）。Ｗｉ−Ｆｉチャネルと同じ周波数帯域のＢｌｕｅｔｏｏｔｈチャネルも利用する。
【０１３２】
ＰＡＮ（Ｐｅｒｓｏｎａｌ  Ａｒｅａ  Ｎｅｔｗｏｒｋ）プロファイル／Ａ２ＤＰ（Ａｄｖａｎｃｅｄ  Ａｕｄｉｏ  Ｄｉｓｔｒｉｂｕｔｉｏｎ  Ｐｒｏｆｉｌｅ）では、高ＣＩＲが必要な大パケットで通信する（被干渉の影響と与干渉が大きい）。Ｗｉ-Ｆｉチャネルと同じ周波数帯のＢｌｕｅｔｏｏｔｈチャネルをなるべく使わない。
（ｄ）航空機の飛行状況の情報を利用する。高度１万メートルに達するまではＢｌｕｅｔｏｏｔｈ通信を利用禁止としてもよい。
（ｅ）航空会社がローカルに定める使用禁止周波数情報を利用する。その周波数帯域を常に使わないようにするためである。
【０１３３】
また、シートモニタ１４が自装置のＢｌｕｅｔｏｏｔｈ通信を制御することもできる。たとえばシートモニタ１４は、以下の情報に基づいて自身のＢｌｕｅｔｏｏｔｈ通信を制御してもよい。
（ａ）使用不可能なパケット情報。被干渉の影響と与干渉を小さくするために、大きいパケットを使わないことが好ましい場合がある。
（ｂ）最大送信電力。与干渉を小さくするために最大送信電力を小さくすることが好ましい場合がある。
（ｃ）サーバ装置に接続しているシートモニタ１４が常にマスタ装置になるよう制御してもよい。上述のように、Ｂｌｕｅｔｏｏｔｈ通信に使用する／しないＢｌｕｅｔｏｏｔｈチャネルの決定方法として、３つの方法があると説明した。すなわち、（１）上位装置によってＢａｄ／Ｕｎｋｎｏｗｎと設定されたチャネル分類情報に基づく方法、（２）Ｂｌｕｅｔｏｏｔｈのマスタ装置が測定してＧｏｏｄ／Ｂａｄ／Ｕｎｋｎｏｗｎと判断したチャネル分類情報に基づく方法、および（３）スレーブ装置からＧｏｏｄ／Ｂａｄ／Ｕｎｋｎｏｗｎと報告されたチャネル分類情報に基づく方法である。いずれの方法を利用するかの最終決定権はマスタ装置にある。したがって、上位装置（サーバ装置１０）からＢａｄ／Ｕｎｋｎｏｗｎと設定されたチャネル分類情報がＢｌｕｅｔｏｏｔｈ通信に反映される可能性を高めるためには、サーバ装置１０に接続されるシートモニタ１４がマスタ装置として設定されているほうがよい。
【０１３４】
上述の実施の形態では、ＢＴ端末１２はシートモニタ１４と接続するとしたが、ＬＣＤなどの表示手段やタッチパネルなどの入力手段を有していなくてもよく、例えば、シート下に設置されるシートエレクトロニクスボックス（Ｓｅａｔ  Ｅｌｅｃｔｒｏｎｉｃｓ  Ｂｏｘ：ＳＥＢ）であってもよい。要は、サーバ装置１０と接続されていればよい。
【０１３５】
上述の実施の形態では、ＢＴ端末１２は航空機１の各シートに備え付けられているとして説明したが、乗客が航空機１に持ち込む、Ｂｌｕｅｔｏｏｔｈ規格に対応した通信装置であってもよい。
【０１３６】
また、ＢＴ端末１２は、ヘッドフォンに限定されず、例えばスマートフォンや、腕時計や眼鏡の形状をしたウェアラブルデバイスであってもよい。
【０１３７】
また、ＢＴ端末１２が提供する機能は、音楽再生だけに限定されず、シートモニタの無線制御装置（すなわち、リモートコントローラ）の機能を提供してもよい。
【０１３８】
上述の実施の形態では、通信システムが航空機内に設けられているとして説明したが、航空機内であることは一例である。通信システムは、建築物内、屋外、トンネル内、自動車や列車の車内など、任意の場所に設けられ得る。
【０１３９】
上述の各実施の形態では、２．４ＧＨｚ近辺の周波数帯域を使用する通信規格として、Ｗｉ−Ｆｉ規格およびＢｌｕｅｔｏｏｔｈ  Ｃｌａｓｓｉｃ規格を例示した。しかしながら、これらは一例である。Ｂｌｕｅｔｏｏｔｈ  Ｃｌａｓｓｉｃ規格に代えて、Ｂｌｕｅｔｏｏｔｈ  ＬＥ規格を用いてもよい。Ｗｉ−Ｆｉ規格およびＢｌｕｅｔｏｏｔｈ規格だけではなく、重複する周波数帯域を利用し、かつ、チャネルの重複が生じ得る複数の通信規格が存在する場合には、本開示は、それらの任意の組み合わせについて適用し得る。
【０１４０】
以上のように、本開示における技術の例示として、実施の形態を説明した。そのために、添付図面および詳細な説明を提供した。
【０１４１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４２】
また、上述の実施の形態は、本開示における技術を例示するためのものであるから、特許請求の範囲またはその均等の範囲において種々の変更、置き換え、付加、省略などを行うことができる。
【産業上の利用可能性】
【０１４３】
本開示は、利用する周波数帯域が一部重複する複数の通信方式が利用可能な通信システムに適用可能である。また本開示は、そのような通信システムにおいて利用される端末装置、およびサーバ装置としても適用可能である。
【符号の説明】
【０１４４】
１  航空機
１０  サーバ装置
１２  Ｂｌｕｅｔｏｏｔｈ端末（ＢＴ端末）
１４  シートモニタ
１６、１６ａ、１６ｂ  Ｗｉ-Fｉ端末
１８  ワイヤレスアクセスポイント
１００、１０１  無線通信システム
【図１】
2016086238.tif 000004
【図２】
2016086238.tif 000005
【図３】
2016086238.tif 000006
【図４】
2016086238.tif 000007
【図５】
2016086238.tif 000008
【図６】
2016086238.tif 000009
【図７】
2016086238.tif 000010
【図８】
2016086238.tif 000011
【図９】
2016086238.tif 000012
【図１０】
2016086238.tif 000013
【図１１】
2016086238.tif 000014
【図１２】
2016086238.tif 000015
【図１３】
2016086238.tif 000016
【図１４】
2016086238.tif 000017
【図１５】
2016086238.tif 000018